(57)【要約】【課題】各職種で個別に記録された医療情報を複数の職種間で共有できるようにして、医療情報を十分に活用するとともに、職種間の連携をより一層強化することができるようにする。【解決手段】電子カルテサーバ１が、患者の属性情報および主要な医療情報を管理し、情報共有サーバ２が、電子カルテサーバで管理されない付随的な医療情報を管理し、ユーザ端末３が、情報共有サーバとネットワークを介して接続されて、スタッフに医療情報の記録および閲覧を行わせ、情報共有サーバは、各業務内容に関する付随的な医療情報を、共有医療情報として、所定のフォーマットに基づいて統合して管理し、その共有医療情報をユーザ端末に提供する。【選択図】図１
2019120989.tif 000002
【特許請求の範囲】
【請求項１】
業務内容が互いに異なる複数のスタッフ間で、患者に関する医療情報を共有させる医療情報共有システムであって、
患者の属性情報および主要な医療情報を管理する第１のサーバ装置と、
この第１のサーバ装置で管理されない付随的な医療情報を管理する第２のサーバ装置と、
前記第１のサーバ装置および前記第２のサーバ装置とネットワークを介して接続されて、スタッフが前記医療情報の記録および閲覧を行う端末装置と、
を備え、
前記第２のサーバ装置は、
各業務内容に関する前記付随的な医療情報を、共有医療情報として、所定のフォーマットに基づいて統合して管理し、その共有医療情報を前記端末装置に提供することを特徴とする医療情報共有システム。
【請求項２】
前記第２のサーバ装置は、
前記第１のサーバ装置から、前記属性情報および前記主要な医療情報の少なくとも一部を取得して、その情報を前記付随的な医療情報と対応付けて管理することを特徴とする請求項１に記載の医療情報共有システム。
【請求項３】
前記第２のサーバ装置は、
スタッフが前記付随的な医療情報を記録する際に、そのスタッフの識別情報および記録日時の情報の少なくともいずれかを取得して、その情報を前記共有医療情報に対応付けて管理することを特徴とする請求項１または請求項２に記載の医療情報共有システム。
【請求項４】
前記第２のサーバ装置は、
スタッフの編集操作に応じて、前記フォーマットの構成を変更可能としたことを特徴とする請求項１から請求項３のいずれかに記載の医療情報共有システム。
【請求項５】
前記第２のサーバ装置は、
前記共有医療情報に対応付けて、補足的な医療情報を管理することを特徴とする請求項１から請求項４のいずれかに記載の医療情報共有システム。
【請求項６】
前記第２のサーバ装置は、
スタッフの選択操作に応じて、全ての前記共有医療情報の中から抽出された前記共有医療情報をダイジェスト情報として管理し、そのダイジェスト情報を前記端末装置に提供することを特徴とする請求項１から請求項５のいずれかに記載の医療情報共有システム。
【請求項７】
業務内容が互いに異なる複数のスタッフ間で、患者に関する医療情報を共有させる医療情報共有方法であって、
第１のサーバ装置が、
患者の属性情報および主要な医療情報を管理し、
第２のサーバ装置が、
前記第１のサーバ装置で管理されない付随的な医療情報を管理し、
端末装置が、
前記第２のサーバ装置とネットワークを介して接続されて、スタッフに前記医療情報の記録および閲覧を行わせ、
前記第２のサーバ装置は、
各業務内容に関する前記付随的な医療情報を、共有医療情報として、所定のフォーマットに基づいて統合して管理し、その共有医療情報を前記端末装置に提供することを特徴とする医療情報共有方法。
【発明の詳細な説明】
【技術分野】
【０００１】
本発明は、業務内容が互いに異なる複数のスタッフ間で、患者に関する医療情報を共有させる医療情報共有システム及び医療情報共有方法に関するものである。
【背景技術】
【０００２】
病院では、近年、患者ごとのカルテ情報を電子カルテサーバに登録して、ＰＣなどのユーザ端末で所要の患者のカルテ情報を閲覧できるようにした電子カルテシステムが普及している。
【０００３】
このような電子カルテシステムでは、従来、所定のフォーマットで作成されたテンプレートを用意して、このテンプレートに医療情報を入力してカルテ情報として登録する技術が知られている（特許文献１参照）。これにより、カルテ情報を入力する操作を効率化することができる。
【先行技術文献】
【特許文献】
【０００４】
【特許文献１】特開２００１−１１８０１２号公報
【発明の概要】
【発明が解決しようとする課題】
【０００５】
さて、主要な医療情報は、カルテ情報として電子カルテサーバに登録して管理されるが、カルテ情報に該当しない付随的な医療情報は、電子カルテサーバで管理できないため、各職種（医師、看護師、薬剤師など）のサブシステムで、職種ごとに個別に管理することが一般的である。このため、ある職種で記録した情報を別の職種のスタッフが容易に閲覧できないことから、医療情報を十分に活用することができず、また、職種間の連携をより一層強化できないという問題があった。
【０００６】
このような問題は、各職種のスタッフが入力した医療情報を情報共有サーバに登録して、複数のスタッフ間で医療情報を共有できるようにすると、解決することができる。しかしながら、前記従来の技術では、テンプレートの使い回しができるに過ぎず、複数の職種間で医療情報を共有することに関しては、何の考慮もなされておらず、前記のような問題を解決できない。
【０００７】
そこで、本発明は、各職種で個別に記録された医療情報を複数の職種間で共有できるようにして、医療情報を十分に活用するとともに、職種間の連携をより一層強化することができる医療情報共有システム及び医療情報共有方法を提供することを主な目的とする。
【課題を解決するための手段】
【０００８】
本発明の医療情報共有システムは、業務内容が互いに異なる複数のスタッフ間で、患者に関する医療情報を共有させる医療情報共有システムであって、患者の属性情報および主要な医療情報を管理する第１のサーバ装置と、この第１のサーバ装置で管理されない付随的な医療情報を管理する第２のサーバ装置と、前記第１のサーバ装置および前記第２のサーバ装置とネットワークを介して接続されて、スタッフが前記医療情報の記録および閲覧を行う端末装置と、を備え、前記第２のサーバ装置は、各業務内容に関する前記付随的な医療情報を、共有医療情報として、所定のフォーマットに基づいて統合して管理し、その共有医療情報を前記端末装置に提供する構成とする。
【０００９】
また、本発明の医療情報共有方法は、業務内容が互いに異なる複数のスタッフ間で、患者に関する医療情報を共有させる医療情報共有方法であって、第１のサーバ装置が、患者の属性情報および主要な医療情報を管理し、第２のサーバ装置が、前記第１のサーバ装置で管理されない付随的な医療情報を管理し、端末装置が、前記第２のサーバ装置とネットワークを介して接続されて、スタッフに前記医療情報の記録および閲覧を行わせ、前記第２のサーバ装置は、各業務内容に関する前記付随的な医療情報を、共有医療情報として、所定のフォーマットに基づいて統合して管理し、その共有医療情報を前記端末装置に提供する構成とする。
【発明の効果】
【００１０】
本発明によれば、スタッフが個別に記録した医療情報を、業務内容（役割）が異なる複数のスタッフ間で共有できるようになるため、医療情報を十分に活用するとともに、業務内容が異なる複数のスタッフ間の連携をより一層強化することができる。
【図面の簡単な説明】
【００１１】
【図１】本実施形態に係る医療情報共有システムの全体構成図
【図２】情報共有サーバ２、ユーザ端末３および管理者端末４の概略構成を示すブロック図
【図３】ユーザ端末３でメインシートの閲覧および入力を行う際に表示される画面の遷移状況を示す説明図
【図４】ユーザ端末３に表示されるログイン画面を示す説明図
【図５】ユーザ端末３に表示される患者検索画面を示す説明図
【図６】ユーザ端末３に表示される電子カルテの主画面を示す説明図
【図７】ユーザ端末３に表示されるメインシート閲覧画面を示す説明図
【図８】ユーザ端末３に表示される項目別履歴閲覧画面を示す説明図
【図９】ユーザ端末３に表示されるメインシート入力画面を示す説明図
【図１０】ユーザ端末３でスクリーニングシートの閲覧および入力を行う際に表示される画面の遷移状況を示す説明図
【図１１】ユーザ端末３に表示されるスクリーニングシートメニュー画面を示す説明図
【図１２】ユーザ端末３に表示されるスクリーニングシート選択画面を示す説明図
【図１３】ユーザ端末３に表示されるスクリーニングシート閲覧画面を示す説明図
【図１４】ユーザ端末３に表示されるスクリーニングシート入力画面を示す説明図
【図１５】管理者端末４でメインシート、サブシートおよびスクリーニングシートを編集する際に表示される画面の遷移状況を示す説明図
【図１６】管理者端末４に表示されるメインシート編集画面を示す説明図
【図１７】管理者端末４に表示されるセル編集画面を示す説明図
【図１８】メインシート入力時におけるシステムの動作手順を示すシーケンス図
【図１９】メインシート編集時におけるシステムの動作手順を示すシーケンス図
【発明を実施するための形態】
【００１２】
前記課題を解決するためになされた第１の発明は、業務内容が互いに異なる複数のスタッフ間で、患者に関する医療情報を共有させる医療情報共有システムであって、患者の属性情報および主要な医療情報を管理する第１のサーバ装置と、この第１のサーバ装置で管理されない付随的な医療情報を管理する第２のサーバ装置と、前記第１のサーバ装置および前記第２のサーバ装置とネットワークを介して接続されて、スタッフが前記医療情報の記録および閲覧を行う端末装置と、を備え、前記第２のサーバ装置は、各業務内容に関する前記付随的な医療情報を、共有医療情報として、所定のフォーマットに基づいて統合して管理し、その共有医療情報を前記端末装置に提供する構成とする。
【００１３】
これによると、スタッフが個別に記録した医療情報を、業務内容（役割）が異なる複数のスタッフ間で共有できるようになるため、医療情報を十分に活用するとともに、業務内容が異なる複数のスタッフ間の連携をより一層強化することができる。
【００１４】
また、第２の発明は、前記第２のサーバ装置は、前記第１のサーバ装置から、前記属性情報および前記主要な医療情報の少なくとも一部を取得して、その情報を前記付随的な医療情報と対応付けて管理する構成とする。
【００１５】
これによると、共有医療情報とともに属性情報および主要な医療情報をスタッフが容易に閲覧することができる。
【００１６】
また、第３の発明は、前記第２のサーバ装置は、スタッフが前記付随的な医療情報を記録する際に、そのスタッフの識別情報および記録日時の情報の少なくともいずれかを取得して、その情報を前記共有医療情報に対応付けて管理する構成とする。
【００１７】
これによると、スタッフの識別情報（名前など）や記録日時の情報をスタッフが入力する手間を省くことができる。なお、スタッフの識別情報はログイン情報から取得することができる。
【００１８】
また、第４の発明は、前記第２のサーバ装置は、スタッフの編集操作に応じて、前記フォーマットの構成を変更可能とした構成とする。
【００１９】
これによると、フォーマットの構成を適宜に変更することができるため、利便性が向上する。
【００２０】
また、第５の発明は、前記第２のサーバ装置は、前記共有医療情報に対応付けて、補足的な医療情報を管理する構成とする。
【００２１】
これによると、共有医療情報に関係する補足的な医療情報の記録および閲覧を容易に行うことができる。
【００２２】
また、第６の発明は、前記第２のサーバ装置は、スタッフの選択操作に応じて、全ての前記共有医療情報の中から抽出された前記共有医療情報をダイジェスト情報として管理し、そのダイジェスト情報を前記端末装置に提供する構成とする。
【００２３】
これによると、スタッフが必要とする情報に限定したダイジェスト情報をスタッフに提示することができる。
【００２４】
また、第７の発明は、業務内容が互いに異なる複数のスタッフ間で、患者に関する医療情報を共有させる医療情報共有方法であって、第１のサーバ装置が、患者の属性情報および主要な医療情報を管理し、第２のサーバ装置が、前記第１のサーバ装置で管理されない付随的な医療情報を管理し、端末装置が、前記第２のサーバ装置とネットワークを介して接続されて、スタッフに前記医療情報の記録および閲覧を行わせ、前記第２のサーバ装置は、各業務内容に関する前記付随的な医療情報を、共有医療情報として、所定のフォーマットに基づいて統合して管理し、その共有医療情報を前記端末装置に提供する構成とする。
【００２５】
これによると、第１の発明と同様に、スタッフが個別に記録した医療情報を、業務内容が異なる複数のスタッフ間で共有できるようになるため、医療情報を十分に活用するとともに、業務内容が異なる複数のスタッフ間の連携をより一層強化することができる。
【００２６】
以下、本発明の実施の形態を、図面を参照しながら説明する。
【００２７】
図１は、本実施形態に係る医療情報共有システムの全体構成図である。
【００２８】
この医療情報共有システムは、病院において複数の職種のスタッフ（業務内容が互いに異なる複数のスタッフ）同士で医療情報を共有するものであり、電子カルテサーバ１（第１のサーバ装置）と、情報共有サーバ２（第２のサーバ装置）と、ユーザ端末３（端末装置）と、管理者端末４（端末装置）と、を備えている。
【００２９】
電子カルテサーバ１、情報共有サーバ２、ユーザ端末３、および管理者端末４は、院内ネットワークを介して相互に接続されている。
【００３０】
電子カルテサーバ１は、患者ごとのカルテ情報（属性情報および主要な医療情報）を管理する。
【００３１】
情報共有サーバ２は、電子カルテサーバ１で管理されない付随的な医療情報を管理する。この情報共有サーバ２は、医療情報をユーザ端末３に提供するＷｅｂサーバ５（ウェブサーバ）と、医療情報の管理に必要な処理を行うＡＰＩサーバ６（アプリケーションサーバ）と、医療情報および各種の設定情報を蓄積するＤＢサーバ７（データベースサーバ）と、を備えている。
【００３２】
この情報共有サーバ２では、各職種に関する付随的な医療情報を、共有医療情報として、所定のフォーマットに基づいて統合して管理し、その共有医療情報をユーザ端末３に提供する。具体的には、所定のフォーマットで作成されたメインシートに各職種の医療情報を集約（統合）して管理する。このメインシートには、各職種の個別の医療情報が入力される共有医療情報テーブルが設けられており、各職種のスタッフが、自分の職種に関係する共有医療情報テーブルに医療情報を入力する。また、本実施形態では、電子カルテサーバ１から患者のカルテ情報の一部を取得してメインシートに記載する。このメインシートの機能により、各職種間で医療情報を共有することができる。
【００３３】
また、この情報共有サーバ２では、メインシート内の所定の項目に関連する補足的な医療情報を、メインシートに添付されるサブシート（添付情報）として管理する。このサブシートは、表計算ソフトなどのアプリケーションソフトで作成されたデータファイルである。このサブシートの機能により、院内で作成される様々な書類をサブシートとしてメインシートに登録して容易に閲覧することができる。
【００３４】
また、この情報共有サーバ２では、メインシートから必要な医療情報を抽出して、それらの医療情報を集約（統合）したスクリーニングシート（ダイジェスト情報）を生成して管理する。
【００３５】
ユーザ端末３は、スタッフが操作するものである。本実施形態では、ユーザ端末３を操作することで、メインシートおよびスクリーニングシートの入力や閲覧を行うことができる。このユーザ端末３は、ＰＣやタブレット端末などで構成される。なお、ユーザ端末３が、タブレット端末などの携帯端末である場合、無線ルータを介して院内ネットワークに接続される。
【００３６】
管理者端末４は、職長などの管理者が操作するものである。本実施形態では、管理者端末４を操作することで、メインシートおよびスクリーニングシートのフォーマットを編集することができる。この管理者端末４は、ＰＣなどで構成される。
【００３７】
また、ユーザ端末３および管理者端末４は、電子カルテサーバ１にアクセスして、電子カルテサーバ１のカルテ情報の入力や閲覧を行うことができる。
【００３８】
なお、ユーザ端末３および管理者端末４は、その情報処理装置としての構成に相違があるものではなく、一般ユーザとしてシステムにログインする場合にはユーザ端末３となり、管理者権限でシステムにログインする場合には管理者端末４となる。
【００３９】
次に、情報共有サーバ２、ユーザ端末３および管理者端末４の概略構成について説明する。図２は、情報共有サーバ２、ユーザ端末３および管理者端末４の概略構成を示すブロック図である。
【００４０】
情報共有サーバ２は、Ｗｅｂサーバ５と、ＡＰＩサーバ６と、ＤＢサーバ７と、を備えている。
【００４１】
Ｗｅｂサーバ５は、第１の通信部５１と、第２の通信部５２と、制御部５３と、を備えている。第１の通信部５１は、院内ネットワークを介してユーザ端末３および管理者端末４と通信を行う。第２の通信部５２は、ＡＰＩサーバ６と通信を行う。制御部５３は、ユーザ端末３および管理者端末４からの要求に応じて、ＡＰＩサーバ６に所要の処理を依頼し、ＡＰＩサーバ６から取得した情報に基づいて所要の画面を生成して、その画面を第１の通信部５１からユーザ端末３および管理者端末４に配信する。本実施形態では、メインシート、サブシート、およびスクリーニングシートの閲覧や入力に関する画面をユーザ端末３に配信し、メインシートおよびスクリーニングシートの編集に関する画面を管理者端末４に配信する。
【００４２】
ＡＰＩサーバ６は、第１の通信部６１と、第２の通信部６２と、第３の通信部６３と、制御部６４と、を備えている。第１の通信部６１は、院内ネットワークを介して電子カルテサーバ１と通信を行う。第２の通信部６２は、Ｗｅｂサーバ５と通信を行う。第３の通信部６３は、ＤＢサーバ７と通信を行う。制御部６４は、Ｗｅｂサーバ５からの要求に応じて、ＤＢサーバ７から情報を取得するなどの所要の処理を行う。
【００４３】
ＤＢサーバ７は、通信部７１と、制御部７２と、内部ストレージ７３（記憶部）と、を備えている。通信部７１は、ＡＰＩサーバ６と通信を行う。内部ストレージ７３は、メインシートおよびスクリーニングシートのフォーマット情報や、メインシートおよびスクリーニングシートの登録情報などを記憶する。制御部７２は、ＡＰＩサーバ６からの要求に応じて、内部ストレージ７３に記憶された情報を読み出して、その情報を通信部７１からＡＰＩサーバ６に転送する。また、制御部７２は、ＡＰＩサーバ６から取得した情報を内部ストレージ７３に記憶する。
【００４４】
なお、制御部５３，６４，７２はプロセッサで構成され、この他に、プロセッサのワークエリア等として機能する揮発性メモリであるＲＡＭ（Random Access Memory）と、プロセッサが実行する制御プログラムやデータを格納する不揮発性メモリであるＲＯＭ（Read Only Memory）とが設けられる。
【００４５】
また、Ｗｅｂサーバ５、ＡＰＩサーバ６、およびＤＢサーバ７は、各々を独立した情報処理装置で構成するようにしてもよいが、単一の情報処理装置で構成して、ソフトウェアによりＷｅｂサーバ５、ＡＰＩサーバ６、およびＤＢサーバ７の各機能を実現するようにしてもよい。
【００４６】
ユーザ端末３は、通信部３１と、制御部３２と、表示部３３と、操作部３４と、を備えている。通信部３１は、院内ネットワークを介して電子カルテサーバ１および情報共有サーバ２と通信を行う。表示部３３は、液晶表示パネルなどの表示デバイスであり、操作部３４は、マウスやキーボードなどの入力デバイスである。制御部３２は、ウェブブラウザを起動させて、情報共有サーバ２のＷｅｂサーバ５から配信される画面を表示部３３に表示させ、また、操作部３４で行われる画面操作に応じた入力情報を、通信部３１からＷｅｂサーバ５に送信する。
【００４７】
管理者端末４は、通信部４１と、制御部４２と、表示部４３と、操作部４４と、を備えている。この管理者端末４の各部は、ユーザ端末３と同様である。
【００４８】
なお、制御部３２，４２はプロセッサで構成され、この他に、プロセッサのワークエリア等として機能する揮発性メモリであるＲＡＭと、プロセッサが実行する制御プログラムやデータを格納する不揮発性メモリであるＲＯＭとが設けられる。
【００４９】
次に、ユーザ端末３でメインシートの閲覧および入力を行う際に表示される画面について説明する。図３は、ユーザ端末３でメインシートの閲覧および入力を行う際に表示される画面の遷移状況を示す説明図である。
【００５０】
ユーザ端末３では、電子カルテサーバ１にアクセスすると、電子カルテシステムにログインするためのログイン画面（図４参照）が表示される。このログイン画面でスタッフがログインの操作を行うと、患者検索画面（図５参照）に遷移する。この患者検索画面で対象となる患者を指定すると、電子カルテの主画面（図６参照）に遷移する。この電子カルテの主画面で情報共有を選択すると、メインシート閲覧画面（図７参照）に遷移する。
【００５１】
メインシート閲覧画面で所定の画面遷移の操作を行うと、項目別履歴閲覧画面（図８参照）に遷移する。また、メインシート閲覧画面で所定の画面遷移の操作を行うと、メインシート入力画面（図９参照）に遷移する。また、メインシート閲覧画面で所定の画面遷移の操作を行うと、サブシート閲覧画面に遷移し、スタッフがサブシートを閲覧することができる。
【００５２】
メインシート入力画面で所定の画面遷移の操作を行うと、メインシート入力確認画面に遷移する。このメインシート入力確認画面で登録の操作を行うと、メインシート入力画面で入力した情報が登録される。メインシート入力画面で所定の画面遷移の操作を行うと、サブシート入力画面に遷移し、スタッフがサブシートを新規に登録し、また、既存のサブシートの内容の更新（追記や修正）を行うことができる。
【００５３】
次に、ユーザ端末３に表示されるログイン画面について説明する。図４は、ログイン画面を示す説明図である。
【００５４】
このログイン画面は、電子カルテサーバ１により構築される電子カルテシステムにログインするものであり、ユーザ端末３で電子カルテサーバ１にアクセスした際に表示される。
【００５５】
このログイン画面には、ユーザＩＤおよびパスワードの各入力部１０１，１０２と、「ログイン」のボタン１０３と、が設けられており、ユーザＩＤおよびパスワードに入力して、「ログイン」のボタン１０３を操作すると、電子カルテサーバ１でユーザ認証が行われ、ユーザ認証が成功すると、患者検索画面（図５参照）に遷移する。
【００５６】
次に、ユーザ端末３に表示される患者検索画面について説明する。図５は、患者検索画面を示す説明図である。
【００５７】
この患者検索画面は、一覧表示された患者の中から対象とする患者を探し出して指定するものであり、ログイン画面でログインの操作を行うことで表示される。
【００５８】
この患者検索画面には、患者情報一覧表示部１１１が設けられている。この患者情報一覧表示部１１１には、各患者に関する情報（診療科、氏名、患者ＩＤ、身長、体重、病棟等）が一覧表示される。この患者情報一覧表示部１１１で患者を選択する操作を行うと、電子カルテの主画面（図６参照）に遷移する。なお、患者を探し出す時間短縮のため、氏名等の入力による検索ボタン（図示せず）や、各患者に関する情報を並び替えるソートボタン（図示せず）を設けるようにしてもよい。
【００５９】
また、この患者検索画面には、ユーザ情報表示部１１２が設けられている。このユーザ情報表示部１１２には、ログイン中のスタッフに関する情報（ユーザＩＤ、所属、職種等）が表示される。
【００６０】
次に、ユーザ端末３に表示される電子カルテの主画面について説明する。図６は、電子カルテの主画面を示す説明図である。
【００６１】
この電子カルテの主画面は、対象となる患者のカルテ情報を表示するものであり、患者検索画面（図５参照）で患者を選択することで表示される。
【００６２】
この電子カルテの主画面には、患者検索画面と同様に、ユーザ情報表示部１１２が設けられている。また、この電子カルテの主画面には、患者情報表示部１２１が設けられている。この患者情報表示部１２１には、対象となる患者に関する情報（ユーザＩＤ、生年月日、年齢、氏名等）が表示される。
【００６３】
また、この電子カルテの主画面には、表示項目（病名、診療記録、処方、食事、輸血、検体検査等）ごとのタブ１２２と、カルテ情報表示部１２３と、が設けられている。いずれかの表示項目のタブ１２２を操作すると、カルテ情報表示部１２３に、選択した表示項目に関する情報が表示される。なお、ログインしたスタッフの職種に応じて、この電子カルテの主画面に表示される情報が異なる。
【００６４】
また、この電子カルテの主画面には、「情報共有」のタブ１２４が設けられている。このタブ１２４を操作すると、情報共有サーバ２により構築される情報共有システムにログインして、メインシート閲覧画面（図７参照）に遷移する。
【００６５】
次に、ユーザ端末３に表示されるメインシート閲覧画面について説明する。図７は、メインシート閲覧画面を示す説明図である。
【００６６】
このメインシート閲覧画面は、スタッフがメインシートを閲覧するものであり、電子カルテの主画面（図６参照）で「情報共有」のタブ１２４を操作することで表示される。
【００６７】
このメインシート閲覧画面には、メインシート表示部１３１と、更新日ごとのタブ１３２と、左右の矢印のボタン１３３と、が設けられている。タブ１３２を操作すると、該当する更新日のメインシートがメインシート表示部１３１に表示される。更新日が増えてメインシート閲覧画面に全てのタブ１３２を表示できない場合に、左右の矢印のボタン１３３を操作すると、タブ１３２を左右にスクロールさせることができる。
【００６８】
メインシート表示部１３１に表示されるメインシートには、患者情報表示部１３４が設けられている。この患者情報表示部１３４には、対象となる患者の情報（ユーザＩＤ、生年月日、年齢、氏名等）が表示される。この患者の情報は、電子カルテサーバ１から取得したものである。
【００６９】
また、メインシートには、カルテ情報表示部１３５が設けられている。このカルテ情報表示部１３５には、チェックボックス１３６と、タイトル表示部１３７と、カルテ情報表示欄１３８と、が設けられている。カルテ情報表示欄１３８には、対象となる患者のカルテ情報が表示される。このカルテ情報は、電子カルテサーバ１から取得したものである。
【００７０】
また、メインシートには、複数の共有医療情報表示部１４１が設けられている。この共有医療情報表示部１４１は、各職種のスタッフが入力（記録）した情報が、他職種のスタッフでも閲覧できるように、共有医療情報として表示される。この共有医療情報表示部１４１には、チェックボックス１４２と、タイトル表示部１４３と、共有医療情報テーブル１４４と、「＋」のボタン１４５と、が設けられている。
【００７１】
タイトル表示部１４３には、共有医療情報テーブル１４４のタイトルが表示される。
【００７２】
共有医療情報テーブル１４４では、行の見出しセル（行のヘッダ）に項目名が表示され、列の見出しセル（列のヘッダ）に細目名が表示される。また、共有医療情報テーブル１４４では、項目（行）ごとに最新の共有医療情報が表示され、各セルには、共有医療情報を表す文字、ラジオボタンおよびチェックボックスが表示される。また、共有医療情報テーブル１４４の各項目（行）には、入力者および更新日のセルが設けられている。入力者は、共有医療情報を入力（記録）したスタッフであり、更新日は、共有医療情報を入力した日付である。
【００７３】
また、共有医療情報テーブル１４４では、メインシートにサブシートが登録されている場合に、該当するセルに「サブシート閲覧」のボタン１４７が表示される。このボタン１４７を操作すると、サブシート閲覧画面に遷移する。
【００７４】
「＋」のボタン１４５は、共有医療情報テーブル１４４の項目（行）ごとに設けられている。このボタン１４５を操作すると、該当する項目に関する項目別履歴閲覧画面（図８参照）に遷移する。
【００７５】
また、このメインシート閲覧画面には、「折り畳み」のボタン１５１が設けられている。このボタン１５１を操作すると、タブ１３２により選択された更新日を基準日として、その基準日から所定期間内に更新された最新の情報のみがメインシート表示部１３１に表示され、それ以外の情報は折り畳まれて見えない状態となる。これにより、スタッフが最新の情報のみを即座に確認することができる。
【００７６】
なお、「折り畳み」のボタン１５１は、操作すると「展開」に変化し、ここでボタン１５１を操作すると、折り畳み状態を解除することができる。また、折り畳み状態をメインシート閲覧画面の初期状態としてもよい。
【００７７】
また、このメインシート閲覧画面には、タイトル選択部１５２が設けられている。このタイトル選択部１５２を操作すると、タイトル名を一覧表示するプルダウンメニュー（コンボボックス）が表示され、このプルダウンメニューでタイトルを選択すると、選択したタイトルの共有医療情報テーブル１４４にジャンプする。具体的には、選択したタイトルの共有医療情報テーブル１４４が最も上に表示されるようにスクロールした状態となる。ここでは、電子カルテ情報が選択されているため、最上部にカルテ情報表示欄１３８が表示されている。
【００７８】
また、このメインシート閲覧画面には、「印刷プレビュー」のボタン１５３が設けられている。この「印刷プレビュー」のボタン１５３を操作すると、印刷プレビュー画面に遷移し、メインシートをプリンタで印刷出力することができる。このとき、タイトルごとに設けられたチェックボックス１３６，１４２を操作することで、印刷対象となるタイトルを選択すると、選択したタイトルの情報のみを印刷出力することができる。
【００７９】
また、このメインシート閲覧画面には、「スクリーニング」ボタン１４８が設けられている。これは、主にメインシートに登録された共有医療情報から必要な情報を抽出して、例えば、１ページに纏めたダイジェスト情報を出力するためのものである。
【００８０】
また、このメインシート閲覧画面には、「入力」のボタン１５４が設けられている。このメインシート閲覧画面において、ボタン１５４を操作すると、メインシート入力画面（図９参照）に遷移する。
【００８１】
また、このメインシート閲覧画面には、「戻る」のボタン１５５が設けられている。ここでは、詳細な説明は省略するが、このボタン１５５を操作すると、各種設定画面（図示せず）へと移行させることができ、その設定画面からのユーザの選択操作により、メインシートのフォーマットを編集するメインシート編集画面（図１６参照）、サブシート設定画面、スクリーニングシート編集画面に遷移させることができる。
【００８２】
次に、ユーザ端末３に表示される項目別履歴閲覧画面について説明する。図８は、項目別履歴閲覧画面を示す説明図である。
【００８３】
この項目別履歴閲覧画面（ダイアログボックス）は、メインシート閲覧画面（図７参照）で選択した項目に関する履歴情報を一覧表示するものであり、メインシート閲覧画面の共有医療情報テーブル１４４の項目（行）ごとに設けられた「＋」のボタン１４５を操作することで表示される。
【００８４】
この項目別履歴閲覧画面には、履歴情報テーブル１６１が表示される。この履歴情報テーブル１６１には、メインシート閲覧画面で選択した項目（行）に関して、過去に更新された共有医療情報が、新しいものから順に並べて表示される。この履歴情報テーブルには、新しいものから所定の更新回数（例えば２０回）分の情報が表示される。また、メインシートの共有医療情報テーブル１４４の構成に変更があった場合には、同一の構成ごとに履歴情報テーブル１６１が分割して表示される。
【００８５】
履歴情報テーブル１６１の更新日のセルを操作すると、該当する更新日のメインシート閲覧画面（図７参照）に遷移する。このとき、タブ１３２で更新日を選択した場合と同様に、該当する更新日のメインシートが表示される。
【００８６】
この項目別履歴閲覧画面には「閉じる」のボタン１６２が設けられており、このボタン１６２を操作すると、この項目別履歴閲覧画面を閉じて、メインシート閲覧画面（図７参照）に戻る。
【００８７】
次に、ユーザ端末３に表示されるメインシート入力画面について説明する。図９は、メインシート入力画面を示す説明図である。
【００８８】
このメインシート入力画面は、スタッフがメインシートに所要の情報を入力するものであり、メインシート閲覧画面（図７参照）の「入力」のボタン１５４を操作することで表示される。
【００８９】
このメインシート入力画面には、メインシート閲覧画面と同様に、患者情報表示部１３４と、タイトル選択部１５２と、カルテ情報表示部１３５と、が設けられている。
【００９０】
また、このメインシート入力画面には、複数の共有医療情報入力部１７１が設けられている。この共有医療情報入力部１７１には、チェック不可状態のチェックボックス１４２と、タイトル表示部１４３と、共有医療情報テーブル１７２と、が設けられている。
【００９１】
共有医療情報テーブル１７２では、各項目を操作することで、その項目の各セルが入力可能状態となり、テキストを入力したり、ラジオボタンやチェックボックスを選択したりする入力操作を行うことができる。
【００９２】
また、このメインシート入力画面には、編集操作でセルにサブシートを登録する設定を行った場合、該当するセルに「サブシート入力」のボタン１７３が表示される。このボタン１７３を操作すると、サブシート入力画面（ダイアログボックス）に遷移し、サブシートの新規登録や更新（追記や修正）を行うことができる。また、このサブシートは、管理者の画面から新規登録することも可能となっている。
【００９３】
また、このメインシート入力画面には、「入力確認」のボタン１７４が設けられている。このボタン１７４を操作すると、メインシート入力確認画面に遷移する。このメインシート入力確認画面では、入力した情報が確定された状態で表示される。また、入力者および更新日のセルには、ログイン中のスタッフの情報および操作時の日付が自動で入力される。メインシート入力確認画面で、メインシートの入力内容を確認した上で、「登録」のボタンを操作すると、入力した情報でメインシートの登録情報が更新される。
【００９４】
なお、本実施形態では、図８に示した項目別履歴閲覧画面において、メインシートに登録した共有医療情報の履歴を表示するため、メインシートの登録情報を更新する際には、新しい共有医療情報を登録するとともに、古い共有医療情報を所定の保持期間が経過するまで削除しない。
【００９５】
次に、ユーザ端末３でメインシートに登録された共有医療情報から必要な情報を抽出して生成されるスクリーニングシートの閲覧および入力を行う際に表示される画面について説明する。図１０は、ユーザ端末３でスクリーニングシートの閲覧および入力を行う際に表示される画面の遷移状況を示す説明図である。
【００９６】
ユーザ端末３では、図７に示すメインシート閲覧画面において、スタッフがスクリーニングボタン１４８の操作を行うと、スクリーニングシートメニュー画面（図１１参照）に遷移する。
【００９７】
スクリーニングシートメニュー画面では、スタッフが閲覧および入力のいずれかを選択することができ、ここで、閲覧を選択すると、スクリーニングシート選択画面（図１２参照）に遷移する。このスクリーニングシート選択画面でスクリーニングシートを選択すると、スクリーニングシート閲覧画面（図１３参照）に遷移する。また、スクリーニングシートメニュー画面で入力を選択した場合も、スクリーニングシート選択画面（図１２参照）に遷移し、最新のスクリーニングシートに情報を入力するためのスクリーニングシート入力画面（図１４参照）に遷移する。
【００９８】
次に、ユーザ端末３に表示されるスクリーニングシートメニュー画面ついて説明する。図１１は、スクリーニングシートメニュー画面を示す説明図である。
【００９９】
このスクリーニングシートメニュー画面は、閲覧および入力を選択するものである。
【０１００】
このスクリーニングシートメニュー画面には、「閲覧」のボタン１８１と「入力」のボタン１８２とが設けられている。「閲覧」のボタン１８１または「入力」のボタン１８２を操作すると、スクリーニングシート選択画面（図１２参照）に遷移する。
【０１０１】
次に、ユーザ端末３に表示されるスクリーニングシート選択画面について説明する。図１２は、スクリーニングシート選択画面を示す説明図である。
【０１０２】
このスクリーニングシート選択画面は、閲覧または入力するスクリーニングシートを選択するものであり、スクリーニングシートメニュー画面（図１１参照）で「閲覧」のボタン１８１または「入力」のボタン１８２を操作することで表示される。
【０１０３】
このスクリーニングシート選択画面には、前記各種設定画面より遷移させたスクリーニングシート編集画面で予め登録されたスクリーニングシートごとの選択部１９１が表示される。この選択部１９１を操作してスクリーニングシートを選択すると、該当するスクリーニングシートが表示されたスクリーニングシート閲覧画面（図１３参照）に遷移する。
【０１０４】
なお、このスクリーニングシート選択画面に表示されるスクリーニングシートごとの選択部１９１は、前記設定画面より遷移させたスクリーニングシート編集画面からスクリーニングシートを新規に作成、登録することができる。
【０１０５】
次に、ユーザ端末３に表示されるスクリーニングシート閲覧画面について説明する。図１３は、スクリーニングシート閲覧画面を示す説明図である。
【０１０６】
このスクリーニングシート閲覧画面は、スタッフがスクリーニングシートを閲覧するものであり、スクリーニングシート選択画面（図１２参照）でスクリーニングシートを選択する操作を行うことで表示される。
【０１０７】
このスクリーニングシート閲覧画面には、スクリーニングシート表示部２０１と、更新日ごとのタブ１３２と、左右の矢印のボタン１３３と、が設けられている。タブ１３２を操作すると、該当する更新日のスクリーニングシートがスクリーニングシート表示部２０１に表示される。左右の矢印のボタン１３３はメインシート閲覧画面（図７参照）と同様である。
【０１０８】
スクリーニングシート表示部２０１に表示されるスクリーニングシートには、メインシートと同様に、複数の共有医療情報表示部２０２が設けられている。この共有医療情報表示部２０２には、選択不可状態のチェックボックス２０３と、タイトル表示部２０４と、共有医療情報テーブル２０５と、が設けられている。
【０１０９】
共有医療情報テーブル２０５の各セルの情報は、スクリーニングシート入力画面で入力された情報に加えて、メインシート（図７参照）内の共有医療情報テーブル１４４から抽出した情報に基づいて生成、表示される。
【０１１０】
なお、タイトル表示部２０４に表示されるタイトル、共有医療情報テーブル２０５の表示項目の項目名、すなわち、行および列のヘッダセルの内容は、スクリーニングシートで独自に設定される。
【０１１１】
また、このスクリーニングシート閲覧画面には、「添付ファイル」のボタン２０７が設けられている。このボタン２０７を操作すると、添付ファイル一覧画面が表示され、この添付ファイル一覧画面で添付ファイルを選択することで、添付ファイルを閲覧することができる。
【０１１２】
また、このスクリーニングシート閲覧画面には、「印刷プレビュー」のボタン２０８が設けられている。このボタン２０８を操作すると、印刷プレビュー画面に遷移し、スクリーニングシートをプリンタで印刷出力することができる。
【０１１３】
次に、ユーザ端末３に表示されるスクリーニングシート入力画面について説明する。図１４は、スクリーニングシート入力画面を示す説明図である。
【０１１４】
このスクリーニングシート入力画面は、スタッフが最新のスクリーニングシートに所要の情報を入力するものであり、スクリーニングシートメニュー画面（図１１参照）で「入力」のボタン１８２を操作し、図１２のスクリーニングシート選択画面からスクリーニングシートを選択することで表示される。
【０１１５】
このスクリーニングシート入力画面には、複数の共有医療情報入力部２１１が設けられている。この共有医療情報入力部２１１には、選択不可状態のチェックボックス２０３と、タイトル表示部２０４と、共有医療情報テーブル２１２と、が設けられている。ここで、共有医療情報テーブル２１２の情報は、新たに入力する情報に加え、メインシート（図７参照）内の共有医療情報テーブル１４４から抽出した情報が反映される。
【０１１６】
また、共有医療情報テーブル２１２では、各項目を操作することで、その項目の各セルが入力可能状態となり、テキストを入力したり、ラジオボタンやチェックボックスを選択したりする入力操作を行うことができる。
【０１１７】
また、このスクリーニングシート入力画面には、「添付ファイル」のボタン２１５が設けられている。このボタン２１５を操作すると、登録済みの添付ファイルを一覧表示する画面（ダイアログボックス）が表示され、この画面で添付ファイルを選択すると、所要のアプリケーションソフトが起動して、添付ファイルを編集することができる。
【０１１８】
また、このスクリーニングシート入力画面には、「ファイルアップロード」のボタン２１６が設けられている。このボタン２１６を操作すると、ファイルアップロード画面が表示され、ユーザ端末３に保持されているファイルを情報共有サーバ２にアップロード（登録）することができる。
【０１１９】
また、このスクリーニングシート入力画面には、「入力確認」のボタン２１８が設けられている。このボタン２１８を操作すると、スクリーニングシート入力確認画面に遷移する。このスクリーニングシート入力確認画面で、スクリーニングシートの入力内容を確認した上で、「登録」のボタンを操作すると、入力した情報でスクリーニングシートの登録情報が更新される。
【０１２０】
次に、管理者端末４で、各種の設定画面からメインシート、サブシートおよびスクリーニングシートを編集する際に表示される画面について説明する。図１５は、管理者端末４でメインシート、サブシートおよびスクリーニングシートを編集する際に表示される画面の遷移状況を示す説明図である。
【０１２１】
管理者端末４では、図７のメインシート閲覧画面から「戻る」ボタンを操作するなどして、各種設定画面へと遷移させることができる。
【０１２２】
この各種設定画面では、スタッフが、メインシート、サブシート、およびスクリーニングシートのいずかを選択することができ、ここで、メインシートを選択すると、メインシート編集画面（図１６参照）に遷移し、サブシートを選択すると、サブシート設定画面に遷移し、スクリーニングシートを選択すると、スクリーニングシート編集画面に遷移する。
【０１２３】
メインシート編集画面（図１６参照）では、メインシートを新規に作成し、また、既存のメインシートの構成を変更することができる。このメインシート編集画面で所定の画面遷移の操作を行うと、セル編集画面（図１７参照）に遷移し、メインシート内のテーブルのセルを編集することができる。
【０１２４】
サブシート設定画面では、サブシートのテンプレートを登録することができる。
【０１２５】
スクリーニングシート編集画面では、スクリーニングシートを新規に作成し、また、既存のスクリーニングシートの構成を変更することができる。このスクリーニングシート編集画面では、メインシートと同様にセルを設定したり、メインシート内のテーブルのセルを、スクリーニングシートのテーブルに複製する操作を行う。具体的には、元になるメインシートと、編集対象となるスクリーニングシートとが表示され、ドラッグ＆ドロップの操作により、メインシート内のテーブルのセルを、スクリーニングシートのテーブルに貼り付ける。また、メインシートの各セルにチェックボックスを表示して、そのチェックボックスで、スクリーニングシートに複製するセルを選択するようにしてもよい。
【０１２６】
次に、管理者端末４に表示されるメインシート編集画面について説明する。図１６は、メインシート編集画面を示す説明図である。
【０１２７】
このメインシート編集画面は、メインシートの構成を編集するものである。図１６に示す例は、メインシートを新規に作成する場合であり、メインシート編集画面にメインシートの基本レイアウトが表示される。また、登録済みのメインシートを編集することもでき、この場合、メインシート編集画面に登録済みのメインシートが表示される。
【０１２８】
メインシートの基本レイアウトでは、共有医療情報編集部２２１が１つだけ設けられている。この共有医療情報編集部２２１には、チェックボックス１４２と、タイトル入力部２２２と、共有医療情報テーブル２２３と、が設けられている。
【０１２９】
タイトル入力部２２２を操作すると、入力可能状態となり、タイトル（表名）を表す文字列を新規に入力したり変更したりすることができる。
【０１３０】
タイトル入力部２２２に対してマウスオーバの操作を行うと（ポインタを位置Ｐ１とした場合）、リセットのボタン２２４と、「＋」のボタン２２５と、「−」のボタン２２６と、が表示される。リセットのボタン２２４を操作すると、共有医療情報編集部２２１の編集内容が破棄され、初期状態に戻る。「＋」のボタン２２５を操作すると、同一のレイアウトで共有医療情報編集部２２１が複製される。「−」のボタン２２６を操作すると、共有医療情報編集部２２１が削除される。
【０１３１】
共有医療情報テーブル２２３の行の見出しセル（行のヘッダ）を操作すると、入力可能状態となり、項目名を表す文字列を新規に入力したり変更したりすることができる。
【０１３２】
共有医療情報テーブル２２３の行の見出しセルに対してマウスオーバの操作を行うと（ポインタを位置Ｐ２とした場合）、「＋」のボタン２２７と「−」のボタン２２８とが表示される。「＋」のボタン２２７を操作すると、行が複製され、「−」のボタン２２８を操作すると、行が削除される。
【０１３３】
共有医療情報テーブル２２３の列の見出しセル（列のヘッダ）を操作すると、入力可能状態となり、項目名を表す文字列を新規に入力したり変更したりすることができる。
【０１３４】
共有医療情報テーブル２２３の列の見出しセルに対してマウスオーバの操作を行うと（ポインタを位置Ｐ３とした場合）、「＋」のボタン２２９と「−」のボタン２３０とが表示される。「＋」のボタン２２９を操作すると、列が複製され、「−」のボタン２３０を操作すると、列が削除される。
【０１３５】
共有医療情報編集部２２１に対してドラッグ＆ドロップの操作を行うと、共有医療情報編集部２２１の位置を入れ替えることができる。また、共有医療情報テーブル２２３の行に対してドラッグ＆ドロップの操作を行うと、行の位置を入れ替えることができる。共有医療情報テーブル２２３の列に対してドラッグ＆ドロップの操作を行うと、列の位置を入れ替えることができる。列の境界のラインに対してドラッグ＆ドロップの操作を行うと、列幅を変更することができる。
【０１３６】
共有医療情報テーブル２２３の共有医療情報を入力するセル、すなわち、見出しセルと入力者および更新日のセルとを除くセルには、セル編集のボタン２３１が表示される。このボタン２３１を操作すると、セル編集画面（図１７参照）に遷移する。
【０１３７】
また、このメインシート編集画面には、「ｕｎｄｏ」のボタン２３２と「ｒｅｄｏ」のボタン３０３とが設けられている。「ｕｎｄｏ」のボタン２３２を操作すると、直前の操作による編集処理を取り消して、直前の編集状態に戻る。「ｒｅｄｏ」のボタン２３３を操作すると、「ｕｎｄｏ」のボタン２３２で取り消した編集処理をやり直して、戻る前の編集状態とする。
【０１３８】
また、このメインシート編集画面には、プルダウンメニュー１５２が設けられている。このプルダウンメニュー１５２には、設定されたタイトルが一覧表示され、閲覧や入力画面と同様に選択したタイトルのテーブルを表示することができる。
【０１３９】
また、このメインシート編集画面には、登録のボタン２３５が設けられている。このボタン２３５を操作すると、編集内容がメインシートのフォーマット情報に登録される。
【０１４０】
次に、管理者端末４に表示されるセル編集画面について説明する。図１７は、セル編集画面を示す説明図である。
【０１４１】
このセル編集画面（ダイアログボックス）は、メインシートの共有医療情報テーブル２２３（図１６参照）のセルを編集するものであり、メインシート編集画面（図１６参照）のセルに表示されるセル編集のボタン２３１を操作することで表示される。
【０１４２】
このセル編集画面には、リストボックス２４１と、アイテム選択部２４２と、アイテム編集部２４３と、が設けられている。
【０１４３】
リストボックス２４１は、アイテム選択部２４２およびアイテム編集部２４３の操作による編集結果を表示する。
【０１４４】
アイテム選択部２４２には、テキストエリア追加のボタン２４４と、日付追加のボタン２４５と、チェックボックス追加のボタン２４６と、ラジオボタン追加のボタン２４７と、サブシート追加のボタン２４８と、が設けられている。テキストエリア追加のボタン２４４を操作すると、文字情報を入力するテキストエリアがセル内に追加される。日付追加のボタン２４５を操作すると、日付入力エリアがセル内に追加される。チェックボックス追加のボタン２４６を操作すると、チェックボックスがセル内に追加される。ラジオボタン追加のボタン２４７を操作すると、ラジオボタンがセル内に追加される。サブシート追加のボタン２４８を操作すると、サブシートを登録するボタンがセル内に追加される。
【０１４５】
アイテム編集部２４３には、「＋」のボタン２５１と「−」のボタン２５２と上向きの矢印のボタン２５３と下向きの矢印のボタン２５４とが設けられている。「＋」のボタン２５１を操作すると、選択状態のアイテムを複製する。「−」のボタン２５２を操作すると、選択状態のアイテムを削除する。上向きの矢印のボタン２５３を操作すると、選択状態のアイテムを上に移動させ、すぐ上のアイテムと上下が入れ替わる。下向きの矢印のボタン２５４を操作すると、選択状態のアイテムを下に移動させ、すぐ下のアイテムと上下が入れ替わる。
【０１４６】
また、このセル編集画面には、「リセット」のボタン２５５が設けられている。このボタン２５５を操作すると、リストボックス２４１に表示されている編集内容が破棄される。
【０１４７】
また、このセル編集画面には、「キャンセル」のボタン２５６と「ＯＫ」のボタン２５７とが設けられている。「キャンセル」のボタン２５６を操作すると、セル編集画面を閉じてメインシート編集画面（図１６参照）に戻り、編集内容が破棄される。「ＯＫ」のボタン２５７を操作すると、セル編集画面を閉じてメインシート編集画面に戻り、メインシート編集画面に編集内容が反映される。
【０１４８】
次に、メインシート入力時におけるシステムの動作手順について説明する。図１８は、メインシート入力時におけるシステムの動作手順を示すシーケンス図である。
【０１４９】
まず、ユーザ端末３において、スタッフにより、メインシート入力画面に遷移させる操作が行われると、Ｗｅｂサーバ５は、ＡＰＩサーバ６を介して、ＤＢサーバ７に登録されたメインシートのフォーマット情報を取得する。また、Ｗｅｂサーバ５は、ＡＰＩサーバ６を介して、ＤＢサーバ７に格納されたメインシートの登録情報を取得する。また、Ｗｅｂサーバ５は、ＡＰＩサーバ６を介して、電子カルテサーバ１に登録されたカルテ情報を取得する。そして、Ｗｅｂサーバ５は、メインシートのフォーマット情報および登録情報と、カルテ情報とに基づいて、メインシート入力画面（図９参照）を生成して、メインシート入力画面をユーザ端末３に表示させる。
【０１５０】
次に、ユーザ端末３において、スタッフにより、メインシート入力画面上で、セルに対するテキストの入力などの入力操作が行われ、ついで、入力内容を確認する操作が行われると、Ｗｅｂサーバ５は、入力者および更新日を自動入力し、メインシート入力確認画面を生成して、メインシート入力確認画面をユーザ端末３に表示させる。
【０１５１】
次に、ユーザ端末３において、メインシート入力確認画面上で、入力内容を登録する操作が行われると、Ｗｅｂサーバ５は、ＡＰＩサーバ６を介して、メインシート入力画面で入力された情報をＤＢサーバ７に登録させる。そして、完了ダイアログをユーザ端末３に表示させる。
【０１５２】
なお、図１８には、メインシート入力時におけるシステムの動作手順を示したが、スクリーニングシート入力時も同様である。また、メインシート閲覧時には、図１８に示すメインシート入力画面に遷移させる操作からメインシート入力画面を生成・表示するまでの処理と同様の処理が行われる。
【０１５３】
次に、メインシート編集時におけるシステムの動作手順について説明する。図１９は、メインシート編集時におけるシステムの動作手順を示すシーケンス図である。
【０１５４】
まず、管理者端末４において、スタッフにより、メインシート編集画面に遷移させる操作が行われると、Ｗｅｂサーバ５は、ＡＰＩサーバ６を介して、ＤＢサーバ７に登録されたメインシートのフォーマット情報（新規作成時には基本レイアウトのフォーマット情報）を取得する。そして、Ｗｅｂサーバ５は、メインシートのフォーマット情報に基づいて、メインシート編集画面（図１６参照）を生成して、メインシート編集画面を管理者端末４に表示させる。
【０１５５】
次に、管理者端末４において、スタッフにより、共有医療情報テーブルや、共有医療情報テーブルの行や列を追加する操作が行われると、Ｗｅｂサーバ５は、メインシートに共有医療情報テーブル、行、列を追加する処理を行う。そして、管理者端末４において、スタッフにより、セル内容を変更する操作が行われると、Ｗｅｂサーバ５は、セル編集画面（図１７参照）を管理者端末４に表示させる。
【０１５６】
次に、管理者端末４において、スタッフにより、セル編集画面でテキスト、チェックボックス、ラジオボタンを追加する操作が行われると、Ｗｅｂサーバ５は、セルにテキスト、チェックボックス、ラジオボタンを追加する処理を行う。そして、管理者端末４において、スタッフにより、画面を閉じる操作が行われると、セル編集画面を閉じてメインシート編集画面を管理者端末４に表示させる。
【０１５７】
次に、管理者端末４において、スタッフにより、編集内容を登録する操作が行われると、Ｗｅｂサーバ５は、ＡＰＩサーバ６を介して、メインシート編集画面で入力された情報をＤＢサーバ７に登録させる。そして、完了ダイアログを管理者端末４に表示させる。
【０１５８】
以上のように、本出願において開示する技術の例示として、実施形態を説明した。しかしながら、本開示における技術は、これに限定されず、変更、置き換え、付加、省略などを行った実施形態にも適用できる。また、上記の実施形態で説明した各構成要素を組み合わせて、新たな実施形態とすることも可能である。
【０１５９】
例えば、前記の実施形態では、第１のサーバ装置を電子カルテサーバとし、第２のサーバ装置を情報共有サーバとして、情報共有サーバが、電子カルテサーバから患者の属性情報および主要な医療情報を取得してメインシートに記載するようにしたが、第１のサーバ装置は電子カルテサーバに限定されるものではない。例えば、第１のサーバ装置を、介護施設を対象にした介護管理サーバとしてもよい。この場合、介護管理サーバが、入所者の属性情報および主要な介護情報を管理し、情報共有サーバが、介護管理サーバで管理されない付随的な介護情報を共有情報として管理する。
【産業上の利用可能性】
【０１６０】
本発明に係る医療情報共有システム及び医療情報共有方法は、各職種で個別に収集された医療情報を複数の職種間で共有できるようにして、医療情報を十分に活用するとともに、職種間の連携をより一層強化することができる効果を有し、業務内容が互いに異なる複数のスタッフ間で、患者に関する医療情報を共有させる医療情報共有システム及び医療情報共有方法などとして有用である。
【符号の説明】
【０１６１】
１  電子カルテサーバ（第１のサーバ装置）
２  情報共有サーバ（第２のサーバ装置）
３  ユーザ端末（端末装置）
４  管理者端末（端末装置）
【図１】
2019120989.tif 000003
【図２】
2019120989.tif 000004
【図３】
2019120989.tif 000005
【図４】
2019120989.tif 000006
【図５】
2019120989.tif 000007
【図６】
2019120989.tif 000008
【図７】
2019120989.tif 000009
【図８】
2019120989.tif 000010
【図９】
2019120989.tif 000011
【図１０】
2019120989.tif 000012
【図１１】
2019120989.tif 000013
【図１２】
2019120989.tif 000014
【図１３】
2019120989.tif 000015
【図１４】
2019120989.tif 000016
【図１５】
2019120989.tif 000017
【図１６】
2019120989.tif 000018
【図１７】
2019120989.tif 000019
【図１８】
2019120989.tif 000020
【図１９】
2019120989.tif 000021